(57)【特許請求の範囲】
【請求項１】
画像を形成した転写層と接着層と剥離層及びベース紙を有する転写シートを被転写体に転写する画像転写装置であって、
転写シートを保持する吸着ヘッドは真空室と昇降機構部と押圧部と吸着体を有し、
真空室は切換弁を介して真空吸引装置と空気供給装置に連結され、先端部に吸着体が設けられ、
昇降機構部は真空室の上部中央に設けられ押圧部を昇降させ、
押圧部は先端部に表面が球面状母線を有する可撓性部材が取り付けられ、
吸着体は柔軟なシート状の焼結体樹脂材料からなることを特徴とする画像転写装置。
【請求項２】
画像を形成した転写層と接着層と剥離層及びベース紙を有する転写シートを被転写体に転写する画像転写装置であって、
転写シートを保持する吸着ヘッドは真空室と旋回押圧部と吸着体を有し、
真空室は切換弁を介して真空吸引装置と空気供給装置に連結され、先端部に吸着体が設けられ、
旋回押圧部は真空室の上部中央に設けられた回転軸受に軸支され、回転駆動機構に連結された回転軸と、回転軸の先端部に取り付けられた回転アームと、回転アームに取り付けられた複数の昇降機構にそれぞれ取り付けられ、表面に球面を有する押付部材を有し、
吸着体は柔軟なシート状の焼結体樹脂材料からなることを特徴とする画像転写装置。
【請求項３】
上記押付部材の先端部に回転自在な球面状ローラを設けた請求項２記載の画像転写装置。
【請求項４】
画像を形成した転写層と接着層と剥離層及びベース紙を有する転写シートを被転写体に転写する画像転写装置であって、
転写シートを保持する吸着ヘッドは真空室と旋回押圧部と吸着体を有し、先端部に吸着体が設けられ、
真空室は切換弁を介して真空吸引装置と空気供給装置に連結され、先端部に吸着体が設けられ、
旋回押圧部は真空室の上部中央に設けられた回転軸受に軸支され、回転駆動機構に連結された回転軸と、回転軸の先端部に取り付けられた回転アームと、回転アームに取り付けられた昇降機構に取り付けられ、表面に球面を有する押付部材と、回転アームに取り付けられた偏心機構と偏心機構に取り付けられた昇降機構に取り付けられ先端部に回転自在な球面状ローラを有する押付部材とからなる偏心押付機構を有し、
吸着体は柔軟なシート状の焼結体樹脂材料からなることを特徴とする画像転写装置。
【請求項５】
上記吸着体が一方の面に微少な壁状溝を有する伸縮性樹脂材料と壁状溝を有する面に微少な通気貫通孔を有する発泡性伸縮樹脂材料を貼り合わせて形成され、真空室は、先端部に吸着体を保持し、切換弁を介して真空吸引装置と空気供給装置に連結された通気孔を有する吸着体把持具からなり、吸着体把持具の通気孔を吸着体の壁状溝に連通した請求項１乃至４のいずれかに記載の画像転写装置。
【請求項６】
画像を形成した転写層と接着層と剥離層及びベース紙を有する転写シートを被転写体に転写する画像転写装置であって、
転写シートを保持する吸着ヘッドは吸着体把持具と吸着体と横行押圧機構を有し、
吸着体把持具は切換弁を介して真空吸引装置と空気供給装置に連結された通気孔を有し、先端部に吸着体を保持し、
吸着体は一方の面に微少な壁状溝を有する伸縮性樹脂材料と壁状溝を有する面に微少な通気貫通孔を有する発泡性伸縮樹脂材料を貼り合わせて形成され、壁状溝を吸着体把持具の通気孔に連通して吸着体把持具に取り付けられ、
横行押圧機構は吸着体把持具に設けられた横行機構部と、横行機構部の先端部に設けられた昇降機構部と、昇降機構部に弾性支持体を介して保持された転がりロールを有し、転がりロールを吸着体に押圧しながら横行機構部で転がりロールを水平移動することを特徴とする画像転写装置。
【請求項７】
画像を形成した転写層と接着層と剥離層及びベース紙を有する転写シートを被転写体に転写する画像転写装置であって、
転写シートを保持する吸着ヘッドは２軸移動機構と吸着体把持具と吸着体と押圧機構を有し、
２軸移動機構を押圧機構を保持して水平の直交する２軸方向に移動し、
吸着体把持具は切換弁を介して真空吸引装置と空気供給装置に連結された通気孔を有し、先端部に吸着体を保持し、
吸着体は一方の面に微少な壁状溝を有する伸縮性樹脂材料と壁状溝を有する面に微少な通気貫通孔を有する発泡性伸縮樹脂材料を貼り合わせて形成され、壁状溝を吸着体把持具の通気孔に連通して吸着体把持具に取り付けられ、
押圧機構は２軸移動機構に取り付けられた昇降機構と、昇降機構の先端部に設けられ、吸着体を押圧する回転自在な球面状ローラを有する押付部材とを有することを特徴とする画像転写装置。
【請求項８】
上記吸着体把持具に吸着体の張力可変手段を設けた請求項５，６又は７記載の画像転写装置。
【発明の詳細な説明】
【０００１】
【発明の属する技術分野】
この発明は、各種製品の表面に装飾を施す画像を有する転写シートを製品表面の平面や曲面に転写する画像転写装置に関するものである。
【０００２】
【従来の技術】
例えばプラモデル等の装飾用や絵皿等の焼き付け前面像定着等においては、画像を形成した転写層と接着層と剥離層及びベース紙を有する湿式転写シートや浸水性を有しない転写シートが使用されている。これらの転写シートに形成された各種製品等の被転写体に転写するためには、転写シートの画像が形成された転写層を保持するベース紙を剥離する必要がある。湿式転写シートのベース紙を剥離する方法としては、湿式転写シートを水中に浸けてベース紙に水が浸透して転写層から離脱したのを見計らって水中に浮遊する転写層を被転写体自身を用い人手ですくい取ったり、例えば特開平９−３０９６６４号公報に示されているように、ベース紙等の保護シートの端部に突当部材を押し付けた状態で、突当部材を保護シートの内側に移動して保護シートの端部を転写層等の被保護体から部分的に剥離し、剥離した端部をめくり起こしてチャックで挟み、チャックを移動して被保護体から保護シートを剥離するようにしている。このようにして剥離した転写層と接着層を被転写体の表面形状に倣わせて圧接して転写層を被転写体に転写するようにしている。
【０００３】
【発明が解決しようとする課題】
しかしながら転写層を被転写体に圧接して転写するときに、転写層と被転写体とのわずかな面の隙間に空気が残り、接着部のすきまからこの空気を追い出そうとしても接着により流動性がそこなわれるために空気が移動できずに残ってしまい、転写層の表面に凸凹が生じ、美観を損ねて商品価値を低下させてしまう。
【０００４】
一般にはこの空気を追い出すために空気の溜った部分に微少な針で穴を空けて空気を追い出すようにしているが、画像の損傷やしわ発生の原因となっている。また、湿式画像転写紙の場合には被転写体上に水を霧状にして吹き付け、この上に湿式転写紙を軟着させ、水の介在によるシートの延展妨害を阻止しながら、空気と水を同時にへら等で追い出しながら順次接着して残留空気の除去としわ発生を防止している。しかしながら、この作業は熟練を要し作業時間も長くかかってしまい作業性が悪い。
【０００５】
この発明はかかる短所を改善し、転写シートを被転写体に転写するときの空気の巻き込み等による貼り付け後のしわ発生を防止するとともの作業時間を短縮することができる画像転写装置を提供することを目的とするものである。
【０００６】
また、大型の転写シートを被転写体に転写するときも貼り付け後のしわ発生を確実に防止することができるとともに安定して転写を行うことができる画像転写装置を提供することを目的とする。
【０００７】
【課題を解決するための手段】
この発明に係る画像転写装置は、画像を形成した転写層と接着層と剥離層及びベース紙を有する転写シートを被転写体に転写する画像転写装置であって、転写シートを保持する吸着ヘッドは真空室と昇降機構部と押圧部と吸着体を有し、真空室は切換弁を介して真空吸引装置と空気供給装置に連結され、先端部に吸着体が設けられ、昇降機構部は真空室の上部中央に設けられ押圧部を昇降させ、押圧部は押圧する先端部に表面が球面状母線を有する可撓性部材が取り付けられ、吸着体は柔軟なシート状の焼結体樹脂材料からなることを特徴とする。
【０００８】
この発明に係る第２の画像転写装置は、画像を形成した転写層と接着層と剥離層及びベース紙を有する転写シートを被転写体に転写する画像転写装置であって、転写シートを保持する吸着ヘッドは真空室と旋回押圧部と吸着体を有し、真空室は切換弁を介して真空吸引装置と空気供給装置に連結され、先端部に吸着体が設けられ、旋回押圧部は真空室の上部中央に設けられた回転軸受に軸支され、回転駆動機構に連結された回転軸と、回転軸の先端部に取り付けられた回転アームと、回転アームに取り付けられた複数の昇降機構にそれぞれ取り付けられ、表面に球面を有する押付部材を有し、吸着体は柔軟なシート状の焼結体樹脂材料からなることを特徴とする。
【０００９】
この発明に係る第３の画像転写装置は、上記第２の画像転写装置において、押付部材の先端部に回転自在な球面状ローラを設けたことを特徴とする。
【００１０】
この発明に係る第４の画像転写装置は、画像を形成した転写層と接着層と剥離層及びベース紙を有する転写シートを被転写体に転写する画像転写装置であって、転写シートを保持する吸着ヘッドは真空室と旋回押圧部と吸着体を有し、先端部に吸着体が設けられ、真空室は切換弁を介して真空吸引装置と空気供給装置に連結され、先端部に吸着体が設けられ、旋回押圧部は真空室の上部中央に設けられた回転軸受に軸支され、回転駆動機構に連結された回転軸と、回転軸の先端部に取り付けられた回転アームと、回転アームに取り付けられた昇降機構に取り付けられ、表面に球面を有する押付部材と、回転アームに取り付けられた偏心機構と偏心機構に取り付けられた昇降機構に取り付けられ先端部に回転自在な球面状ローラを有する押付部材とからなる偏心押付機構を有し、吸着体は柔軟なシート状の焼結体樹脂材料からなることを特徴とする。
【００１１】
この発明に係る第５の画像転写装置は、上記第１から第４の画像転写装置において、吸着体が一方の面に微少な壁状溝を有する伸縮性樹脂材料と壁状溝を有する面に微少な通気貫通孔を有する発泡性伸縮樹脂材料を貼り合わせて形成され、真空室は、先端部に吸着体を保持し、切換弁を介して真空吸引装置と空気供給装置に連結された通気孔を有する吸着体把持具からなり、吸着体把持具の通気孔を吸着体の壁状溝に連通したことを特徴とする。
【００１２】
この発明に係る第６の画像転写装置は、画像を形成した転写層と接着層と剥離層及びベース紙を有する転写シートを被転写体に転写する画像転写装置であって、転写シートを保持する吸着ヘッドは吸着体把持具と吸着体と横行押圧機構を有し、吸着体把持具は切換弁を介して真空吸引装置と空気供給装置に連結された通気孔を有し、先端部に吸着体を保持し、吸着体は一方の面に微少な壁状溝を有する伸縮性樹脂材料と壁状溝を有する面に微少な通気貫通孔を有する発泡性伸縮樹脂材料を貼り合わせて形成され、壁状溝を吸着体把持具の通気孔に連通して吸着体把持具に取り付けられ、横行押圧機構は吸着体把持具に設けられた横行機構部と、横行機構部の先端部に設けられた昇降機構部と、昇降機構部に弾性支持体を介して保持された転がりロールを有し、転がりロールを吸着体に押圧しながら横行機構部で転がりロールを水平移動することを特徴とする。
【００１３】
この発明に係る第７の画像転写装置は、画像を形成した転写層と接着層と剥離層及びベース紙を有する転写シートを被転写体に転写する画像転写装置であって、転写シートを保持する吸着ヘッドは２軸移動機構と吸着体把持具と吸着体と押圧機構を有し、２軸移動機構を押圧機構を保持して水平の直交する２軸方向に移動し、吸着体把持具は切換弁を介して真空吸引装置と空気供給装置に連結された通気孔を有し、先端部に吸着体を保持し、吸着体は一方の面に微少な壁状溝を有する伸縮性樹脂材料と壁状溝を有する面に微少な通気貫通孔を有する発泡性伸縮樹脂材料を貼り合わせて形成され、壁状溝を吸着体把持具の通気孔に連通して吸着体把持具に取り付けられ、押圧機構は２軸移動機構に取り付けられた昇降機構と、昇降機構の先端部に設けられ、吸着体を押圧する回転自在な球面状ローラを有する押付部材とを有することを特徴とする。
【００１４】
上記吸着体把持具に吸着体の張力可変手段を設けることが望ましい。
【００１５】
【発明の実施の形態】
この発明の転写シートを保持する吸着ヘッドは真空室と昇降機構部と押圧部と吸着体を有する。真空室は切換弁を介して真空吸引装置と空気供給装置に連結され、先端部に柔軟なシート状の焼結体樹脂材料からなる吸着体が取り付けられている。昇降機構部は真空室の上部中央に設けられ押圧部を昇降させる。押圧部は先端部に表面が球面状母線を有する可撓性部材を有する。
【００１６】
吸着ヘッドの吸着体で真空吸引して保持した転写シートの転写層と接着層を定着ベース上の被転写体に接着するときは、吸着ヘッドの押圧部を下降させ、押圧部の先端に設けた球面状母線を有する可撓性部材を吸着体に押し付けて吸着体を球面状に変形させる。吸着材を変形させると、吸着材に真空吸引されている転写シートの転写層と接着層も吸着材の変形に倣って球面状に変形する。この状態で昇降機構部により吸着ヘッドを下降させ、吸着ヘッドで保持している転写シートの転写層と接着層を定着ベースの上に置かれた被転写体の上に移送して、接着層を被転写体表面の所定の位置に接触させる。この転写シートの接着層を被転写体の表面に接触させたときに、転写シートの転写層と接着層が球面状に変形しているから、接着層が被転写体の表面に点接触する。この状態で昇降機構部により吸着ヘッドを微動させて下降すると球面状母線を有する可撓性部材の表面先端が変形し、被転写体に接触している接着層の接触面積が点接触状態から徐々に広がり、被転写体と接着層との間にある空気を追い出しながら接着層の全面を被転写体の表面形状に倣わせて接触させ、被転写体と接着層の間に空気の巻き込みが生じることを防ぐことができる。
【００１７】
【実施例】
図１はこの発明の一実施例の構成図である。図に示すように、画像転写装置１は架台２に設けられた給紙部３と搬送部４と剥離部５及び転写部６を有する。給紙部３は転写シートを積層して保持する給紙ストッカ７と、給紙ストッカ７で保持した転写シート８を昇降させるシート昇降機構部９を有する。搬送部４は給紙部３と剥離部５及び転写部６の上方に設けられた２本のガイドレール１０と、ガイドレール１０に沿って移動する移動台１１と、移動台１１に設けられた昇降機構部１２と、昇降機構部１２の先端に取り付けられた吸着ヘッド１３と、移動台１１をガイドレール１０に沿って移動する搬送機構部１４を有する。吸着ヘッド１３は、図２に示すように、真空室１５と昇降機構部１６と押圧部１７と吸着体１８を有する。真空室１５は切換弁を介して真空吸引装置と空気供給装置に連結されている。昇降機構部１６は真空室１５の上部中央に設けられ、押圧部１７を昇降させる。押圧部１７は先端部に表面が球面状母線を有する可撓性部材１９が取り付けられている。吸着体１８は柔軟なシート状の焼結体樹脂材料、例えば（株）化研製のフィルタレンンＦ−１００等からなり、気孔口率５３％、表面空孔径１００μｍ程度の通気孔を有し、真空室１５の先端に取り付けられている。
【００１８】
剥離部５は給紙部３より搬送部４の移動方向の下流側に設けられ、吸引機構部や剥離層除去ローラ等を有し、転写シート８のベース紙と剥離層を剥離する。転写部６は剥離部５より搬送部４の移動方向の下流側に設けられ、被転写体を搬送する搬送部に連結された定着ベース２０を有する。
【００１９】
上記のように構成した画像転写装置で転写シート８の転写層に形成された画像を被転写体に転写するときの動作を説明する。
【００２０】
まず、給紙部３の給紙ストッカ７に転写シート８の転写層２が上になるようにして積み重ねた状態で、搬送部４の移動台１１を給紙ストッカ７の上部に移動して位置決めする。次ぎに、昇降機構部１２により吸着ヘッド１３の押圧部１７を上昇させた状態で吸着ヘッド１３を下降しながら真空室１５を真空吸引する。同時に給紙部３のシート昇降機構部９により積み重ねた転写シート８を所定の位置まで上昇させ、１枚の転写シート８を吸着ヘッド１３で真空吸引して保持する。この転写シート８を保持するときに、転写シート８を保持する吸着ヘッド１３の吸着体１８が、例えば気孔口率５３％、表面空孔径１００μｍ程度の通気孔を有するシート状の焼結体樹脂材料で形成されているから、転写シート８を搬送するために必要な吸引力を確保することができるとともに、吸着体１８の柔軟性により転写シート８の転写層に余分な応力が加えられることを防ぎ、転写層に形成されている画像が損傷することを防ぐことができる。
【００２１】
吸着ヘッド１３で転写シート８を保持したことを確認すると、昇降機構部１２により吸着ヘッド１３を上昇させ、シート昇降機構部９により積み重ねた転写シート８を下降させる。吸着ヘッド１３が上昇端まで上昇したら移動台１１を剥離部５まで移動して転写シート８のベース紙と剥離層を剥離する。剥離部５で転写シート８のベース紙と剥離層を剥離した後、移動台１１を転写部６に移動する。
【００２２】
移動台１１が移動して吸着ヘッド１３が定着ベース２０の上部に達したら、吸着ヘッド１３に設けた昇降機構部１６により押圧部１７を下降させ、押圧部１７の先端に設けた球面状母線を有する可撓性部材１９を吸着体１８に押し付けて吸着体１８を球面状に変形させる。吸着材１８を変形させると、吸着材１８に真空吸引されている転写シート８の転写層と接着層も吸着材１８の変形に倣って球面状に変形する。この状態で昇降機構部１２により吸着ヘッド１３を下降させ、吸着ヘッド１３で保持している転写シート８の転写層と接着層を定着ベース２０の上に置かれた被転写体の上に移送して、接着層を被転写体表面の所定の位置に接触させる。この転写シート８の接着層を被転写体の表面に接触させたときに、転写シート８の転写層と接着層が球面状に変形しているから、接着層が被転写体の表面に点接触する。この状態で昇降機構部１２により吸着ヘッド１３を微動させて下降すると球面状母線を有する可撓性部材１９の表面先端が変形し、被転写体に接触している接着層の接触面積が点接触状態から徐々に広がり、被転写体と接着層との間にある空気を追い出しながら接着層の全面を被転写体の表面形状に倣わせて接触させる。したがって被転写体と接着層の間に空気の巻き込みが生じることを防ぐことができる。
【００２３】
接着層の全面が被転写体に接触したら、吸着ヘッド１３の真空吸引を解除し、吸引ヘッド１３に空気供給装置から一定圧力の空気を供給して被転写体表面に接触している転写シート８の転写層と接着層を被転写体の表面形状に倣わせながら圧接して転写層を被転写体に転写して定着する。被転写体に対する転写層の転写が完了すると、吸引ヘッド１３に一定圧力の空気を供給して吸着体１８から吹き出させながら昇降機構部１２により吸引ヘッド１３を上昇させる。このように転写終了後に吸引ヘッド１３を上昇させるときに、吸着体１８から一定圧力の空気を吹き出させるから、被転写体に転写された転写層から吸着体１８を確実に分離して被転写体に転写された転写層が剥がれることを防ぐことができ、被転写体に転写された画像がずれたり変形することを防止して良質な画像を被転写体に形成することができる。
【００２４】
吸着ヘッド１３が上昇端まで上昇したことを確認したら移動台１１を初期位置である給紙部３まで移動して次ぎの転写シート８の処理に入る。
【００２５】
上記実施例は吸着ヘッド１３の押圧部１７に表面が球面状母線を有する可撓性部材１９を設け、押圧部１７を昇降させて可撓性部材１９で吸着体１８を球面状に変形させる場合について説明したが、図３に示すように、吸着ヘッド１３に、回転軸受２１により軸支され、駆動伝達プーリ２２，２３と駆動ベルト２４により回転駆動機構２５に連結された回転軸２６と、回転軸２６の先端部に取り付けられた回転アーム２７と、回転アーム２７に取り付けられた複数のエアーシリンダ２８と、各エアーシリンダ２８のピストンロッド先端部にそれぞれ取り付けられ、表面に球面を有する押付部材２９と戻り用のバネ３０を有する旋回押圧部１７ａを設けても良い。
【００２６】
この第２の実施例の場合は、移動台１１が移動して吸着ヘッド１３が定着ベース２０の上部に達したら、回転アーム２７の回転中心にあるエアーシリンダ２８を駆動して押付部材２９を下降させ、転写シート８の転写層と接着層を保持している吸着体１８の中心部を押し付けて変形させる。この状態で吸着ヘッド１３を下降させて、吸着体１８で保持している転写シート８の中心部の接着層を定着ベース２０の上に置かれた被転写体に点接触させる。その後、回転駆動機構２５を駆動して回転アーム２７を回転しながら、回転アーム２７の回転中心から順番にエアーシリンダ２８を駆動して押付部材２９を順次下降し、吸着体１８で保持している転写シート８の接着層を被転写体に回転アーム２７の回転中心から螺旋状で接触させ被転写体と接着層との間にある空気を追い出しながら接着層の全面を被転写体の表面形状に倣わせて接触させる。このように転写シート８の接着層を被転写体に回転アーム２７の回転中心から螺旋状で接触させて被転写体と接着層の間の空気を追い出しながら被転写体に接触させるから、被転写体と接着層の間の空気の巻き込みをより確実に防ぐことができるとともに、被転写体に接着した転写シート８の転写層にしわが発生することを防止することができ、転写シート８がＡ４サイズ以上の大形の場合でも安定して転写層を被転写体に貼付ることができる。
【００２７】
上記実施例は回転アーム２７に取り付けた各エアーシリンダ２８に、表面に球面を有する押付部材２９を取り付けた場合について説明したが、図４に示すように、回転アーム２７の回転中心に設けたエアーシリンア１８にだけ表面に球面を有する押付部材２９を設け、他のエアーシリンア１８に先端部に回転自在な球面状ローラ３１を有する押付部材３２を設けても良い。
【００２８】
このように転写シート８の接着層を被転写体に接触させたときに、滑りが小さい回転アーム２７の回転中心部だけを表面に球面を有する押付部材２９で押し付け、その他の部分を球面状ローラ３１を有する押付部材３２で押し付けるようにしたから吸着体１８を擦ることによる損耗を防ぐとともに吸着体１８の撓みによる転写層の画像の歪みを解消することができる。
【００２９】
上記実施例は回転アーム２７に球面状ローラ３１を有する押付部材３２を複数設けた場合について説明したが、図５に示すように、回転アーム２７の回転中心に設けた表面に球面を有する押付部材２９とともに、回転アーム２７に取り付けた偏心用エアーシリンダ等の偏心機構３３のエアーシリンダ３４の先端部に取り付けられた球面状ローラ３１を有する押付部材３２からなる偏心押付機構３５を設けても良い。このように１組の偏心押付機構３５を設けることにより吸着ヘッド１３の構成を簡略化することができるとともに、転写シート８の接着層を被転写体に接触するときの制御を簡略化することができる。
【００３０】
また、上記各実施例は真空室１５の先端に例えば気孔口率５３％、表面空孔径１００μｍ程度の通気孔を有するシート状の焼結体樹脂材料で形成した吸着体１８を設けた場合について説明したが、図６の断面図に示すように、吸着体１８の代わりに伸縮性樹脂材料３５の一方の面に微少な壁状溝３６を設け、この壁状溝３６を有する面に微少な通気貫通孔３７を有する発泡性伸縮樹脂材料３８を貼り合わせた吸着体１８ａを使用し、この吸着体１８ａの壁状溝３６の両端部を、図７に示すように、一方に通気孔３９を有する吸着体把持具４０で保持し、壁状溝３６の一方を通気孔３９に連通するようにしても良い。このように壁状溝３６を有する吸着体１８ａを使用し、通気孔３９を通して真空引きをしたり空気を送ることにより真空室１５が不要になり、密閉するための気密機構等が必要でなく吸着ヘッド１３の構成を簡略化することができる。
【００３１】
また、吸着体把持具４０の吸着体１８ａの保持部のいずれか一方または両方に、図７に示すように引張り機構４４を設けることにより、吸着体１８ａに張力をを与えることができ、収縮した状態で吸着体１８ａに吸引された転写シート８に適正な張りを与えて被転写体に接着することができ、収縮しわの無い良質な画像を被転写体に転写することができる。さらに、引張り機構４４に吸着体１８ａの最大引張量を規制する停止機構を設け、吸着体１８ａの変形量を一定許容範囲に抑制することにより、吸着体１８ａを長期間安定して使用することができる。
【００３２】
さらに、上記各実施例は吸着体１８，１８ａを表面に球面状母線を有する可撓性部材１９を有する押圧部１７や表面に球面を有する押付部材２９等で球面状に変形させて転写シート８の転写層を被転写体に転写する場合について説明したが、図８に示すように、吸着体把持具４０に横行機構部４２を設け、横行機構部４２の先端部に設けた昇降機構部４３にバネ等の弾性支持体４４により支持された回転軸受４５に保持された転がりロール４６を設けて、転がりロール４６で吸着体１８ａを押圧して変形させるようにしても良い。
【００３３】
この場合は、吸着体１８ａの一方の端部に転がりロール４６を押し付けた変形させた状態で吸着体１８ａで保持した転写シート８の接着層を被転写体に線接触させ、この状態で横行機構部４２により転がりロール４６を水平方向に移動して、接着層と被転写体との間に有る空気を排除しながら転写シート８の転写層を被転写体に転写する。このようにして被転写体に接着層を線接触しながら空気を追い出して転写層を転写するから、転写速度を速くすることができる。
【００３４】
上記実施例は転がりロール４６を水平方向に移動して転写シート８の転写層を被転写体に転写する場合について説明したが、図９に示すように、Ｘ−Ｙテーブル等の２軸移動機構４７にエアーシリンダ２８と表面に球面を有する押付部材２９を設け、押付部材２９をジグザグで移動しながら吸着体１８ａを変形させて転写シート８の転写層を被転写体に転写するようにしても良い。
【００３５】
【発明の効果】
この発明は以上説明したように、転写シートの転写層を被転写体に転写するときに、表面が球面状母線を有する可撓性部材で転写シートの接着層を被転写体に点接触させてから周辺部に徐々に接着するようにしたから、接着層を被転写体の間に空気を巻き込むことを防ぎ、しわの無い良質な画像を被転写体に転写することができる。
【００３６】
また、複数の昇降機構にそれぞれ取り付けられ、表面に球面を有する押付部材を旋回中心で下降して転写シートの接着層を被転写体に点接触させてから押付部材旋回中心から順次下降させながら回転することにより、接着層を被転写体に螺旋状で接触させ被転写体と接着層との間にある空気を追い出すことにより、被転写体と接着層の間の空気の巻き込みをより確実に防ぐことができるとともに、被転写体に接着した転写シートの転写層にしわが発生することを防止することができ、転写シートがＡ４サイズ以上の大形の場合でも安定して転写層を被転写体に貼付ることができる。
【００３７】
さらに、押付部材の先端部に回転自在な球面状ローラを設けることにより、吸着体を擦ることによる損耗を防ぐとともに吸着体の撓みによる転写層の画像の歪みを解消することができる。
【００３８】
また、球面状ローラを回転中心側から順次移動して偏心させながら吸着体を変形させることにより、吸着ヘッドの構成を簡略化することができるとともに転写シートの接着層を被転写体に接触するときの制御を簡略化することができる。
【００３９】
さらに、吸着体として伸縮性樹脂材料の一方の面に微少な壁状溝を設け、この壁状溝を有する面に微少な通気貫通孔を有する発泡性伸縮樹脂材料を貼り合わせた吸着体を使用し、この吸着体の壁状溝の一方を吸着体把持具の通気孔に連通することにより、吸着体を真空吸引するための気密機構等が必要でなく吸着ヘッドの構成を簡略化することができる。
【００４０】
また、吸着体把持具に横行機構部を設け、横行機構部の先端部に設けた昇降機構部に弾性支持体により支持された回転軸受に保持された転がりロールを設け、吸着体の一方の端部に転がりロールを押し付けて変形させた状態で吸着体で保持した転写シートの接着層を被転写体に線接触させ、この状態で横行機構部により転がりロールを水平方向に移動することにより、被転写体に接着層を線接触しながら空気を追い出すことができ、転写速度を速くすることができる。
【００４１】
さらに、２軸移動機構に昇降機構と表面に球面ロールを有する押付部材を設け押付部材をジグザグで移動しながら吸着体を変形させて転写シートの転写層を被転写体に転写することにより、被転写体と接着層の間の空気の巻き込みを確実に防ぐことができるとともに被転写体に接着した転写シートの転写層にしわが発生することを防止することができる。
【００４２】
また、吸着体把持具に吸着体の張力可変手段を設けて吸着体の変形量を一定許容範囲に抑制することにより吸着体を長期間安定して使用することができる。
【図面の簡単な説明】
【図１】この発明の実施例の構成図である。
【図２】上記実施例の吸着ヘッドの構成図である。
【図３】第２の実施例の吸着ヘッドの構成図である。
【図４】第３の実施例の吸着ヘッドの構成図である。
【図５】第５の実施例の吸着ヘッドの構成図である。
【図６】他の吸着体の構成を示す断面図である。
【図７】第６の実施例の吸着ヘッドの構成図である。
【図８】第７の実施例の吸着ヘッドの構成図である。
【図９】第８の実施例の吸着ヘッドの構成図である。
【符号の説明】
１；画像転写装置、２；架台、３；給紙部、４；搬送部、５；剥離部、
６；転写部、８；転写シート、１０；ガイドレール、１１；移動台、
１２；昇降機構部、１３；吸着ヘッド、１５；真空室、１６；昇降機構部、
１７；押圧部、１８；吸着体、１９；可撓性部材。
【図１】
0004233178.tif 000002
【図２】
0004233178.tif 000003
【図３】
0004233178.tif 000004
【図４】
0004233178.tif 000005
【図５】
0004233178.tif 000006
【図６】
0004233178.tif 000007
【図７】
0004233178.tif 000008
【図８】
0004233178.tif 000009
【図９】
0004233178.tif 000010